(57)【要約】【課題】体組成測定を行う者の外観を容易に記録することのできる体組成計を提供する。【解決手段】体組成計が、体組成測定時に使用者の手に接触する複数の電極が設けられた保持部と、前記使用者を撮影するためのカメラと、前記保持部に設けられた、前記カメラのシャッターボタンと、前記カメラで撮影された画像を記憶する記憶部と、表示部と、を備える。【選択図】図１
2007195744.tif 000002
【特許請求の範囲】
【請求項１】
体組成測定時に使用者の手あるいは指に接触する複数の電極が設けられた保持部と、
前記使用者を撮影するためのカメラと、
前記保持部に設けられた、前記カメラのシャッターボタンと、
前記カメラで撮影された画像を記憶する記憶部と、
表示部と、
を備えることを特徴とする体組成計。
【請求項２】
前記複数の電極のうち少なくとも１つが前記シャッターボタンを兼ねていることを特徴とする請求項１に記載の体組成計。
【請求項３】
前記シャッターボタンが、体組成測定時に使用者の指先が置かれるべき位置に設けられていることを特徴とする請求項１または２に記載の体組成計。
【請求項４】
前記カメラが、体組成測定姿勢をとる使用者の顔を含む画像を撮影可能な位置に設けられていることを特徴とする請求項１〜３のいずれか１項に記載の体組成計。
【請求項５】
前記カメラで撮影された画像に基づいて、前記使用者が体組成測定姿勢をとっているか否かを判定する姿勢判定手段を備えることを特徴とする請求項１〜４のいずれか１項に記載の体組成計。
【請求項６】
前記カメラで撮影された画像に基づいて、前記使用者を特定する使用者特定手段を備えることを特徴とする請求項１〜５のいずれか１項に記載の体組成計。
【請求項７】
前記記憶部に記憶された過去の画像またはその画像から生成された比較用データと、前記カメラで撮影された現在の画像とが、比較可能な態様で前記表示部に表示されることを特徴とする請求項１〜６のいずれか１項に記載の体組成計。
【請求項８】
前記シャッターボタンが操作されたときに撮影および体組成測定が実行されることを特徴とする請求項１〜７のいずれか１項に記載の体組成計。
【請求項９】
前記画像と、その画像を撮影したときに得られた体組成測定結果とが、前記表示部に表示されることを特徴とする請求項１〜８のいずれか１項に記載の体組成計。
【発明の詳細な説明】
【技術分野】
【０００１】
本発明は、体組成を測定する体組成計に関する。
【背景技術】
【０００２】
生体インピーダンスを計測することにより、体脂肪率、筋肉量などの体組成を推定する体組成計が知られている。この種の体組成計では、ダイエットを支援するために、体重、体脂肪などの数値の変化をグラフ表示する機能を有しているものがある（特許文献１参照）。
【０００３】
ダイエットを行う者は、体重や体脂肪率のような体組成の変化だけでなく、外観（例えば、体形、顔の肉付き、首・腕・ウエスト・脚の太さなど）の変化にも興味をもつことが一般的である。ところが、一般家庭において外観を記録するとしたら、身体の様々な箇所をメジャーで測定するとか、いつも同じ場所・同じ体勢で写真撮影を繰り返すなど、非常に煩雑な作業が必要となる（特許文献２参照）。また、このような手法では、外観の記録と体組成計で測定した体組成データとの対応付けをとることも面倒である。
【特許文献１】特開２００１−１９０５１４号公報
【特許文献２】特開２０００−３７３６９号公報
【発明の開示】
【発明が解決しようとする課題】
【０００４】
本発明は上記実情に鑑みてなされたものであって、その目的とするところは、体組成測定を行う者の外観を容易に記録することのできる体組成計を提供することにある。
【課題を解決するための手段】
【０００５】
上記目的を達成するために本発明では、以下の構成を採用する。
【０００６】
本発明に係る体組成計は、体組成測定時に使用者の手に接触する複数の電極が設けられた保持部と、前記使用者を撮影するためのカメラと、前記保持部に設けられた、前記カメラのシャッターボタンと、前記カメラで撮影された画像を記憶する記憶部と、表示部と、を備える。
【０００７】
この構成によれば、使用者は、体組成を測定するために保持部を持った状態のまま、カメラのシャッターボタンを操作できる。よって、使用者は、自分自身で、体組成の測定とカメラによる撮影・記録とを同時に且つ容易に行うことができるようになる。また、体組成測定時に併せて撮影を行うだけで、常にほぼ同じ姿勢・同じアングルでの外観の撮影・記録（定点観測）が容易となる。そして記憶部に記憶された画像を閲覧することで、使用者は外観の変化を確認でき、体形の管理に役立てたり、ダイエット継続のモチベーションを向上させたりすることができる。
【０００８】
ここで、前記複数の電極のうち少なくとも１つが前記シャッターボタンを兼ねていることが好ましい。この構成によれば、体組成測定のための動作（電極に手もしくは指を密着させること）とカメラ撮影のための動作（シャッターボタンを押すこと）とが同じになるため、操作性がより向上する。この構成は、電極の小さな体組成計（例えば、手のひらでなく、指先だけを電極に当てるタイプの体組成計）の場合に特に有利である。
【０００９】
また、前記シャッターボタンが、体組成測定時に使用者の指先が置かれるべき位置に設けられていることも好ましい。この構成によっても操作性が向上する。しかも、シャッタ
ーボタンに合わせて保持部を持てば、自動的に体組成の測定に適した持ち方となることから、シャッターボタンが保持部（電極）の持ち方のガイドとしての役割も果たすこととなり、測定ミスの低減を図る効果も生まれる。
【００１０】
前記カメラが、体組成測定姿勢をとる使用者の顔を含む画像を撮影可能な位置に設けられていることも好ましい。この構成によれば、体組成測定姿勢をとるだけで自動的に撮影にも適したアングルとなるため、操作性がより向上する。
【００１１】
前記カメラで撮影された画像に基づいて、前記使用者が体組成測定姿勢をとっているか否かを判定する姿勢判定手段を備えることも好ましい。さらに、使用者が体組成測定姿勢をとっていると判定された場合に体組成測定処理を開始したり、体組成測定姿勢をとっていないと判定された場合に警告を出力したりというように、判定結果に基づき種々の処理を実行することも好ましい。この構成によれば、測定ミスの低減を図ることができる。
【００１２】
前記カメラで撮影された画像に基づいて、前記使用者を特定する使用者特定手段を備えることも好ましい。この構成により、他人の登録情報を誤って選択するなどの操作ミスを無くすことができる。
【００１３】
前記記憶部に記憶された過去の画像またはその画像から生成された比較用データと、前記カメラで撮影された現在の画像とが、比較可能な態様で前記表示部に表示されることも好ましい。この構成によれば、過去の外観と現在の外観とを視覚的に比較することができ、ダイエットの成果を容易に確認することができる。
【００１４】
前記シャッターボタンが操作されたときに撮影および体組成測定が実行されることも好ましい。この構成によれば、撮影された画像（外観）と体組成測定結果との対応付けが容易且つ確実になる。
【００１５】
前記画像と、その画像を撮影したときに得られた体組成測定結果とが、前記表示部に表示されることも好ましい。この構成によれば、外観と体組成測定結果とを対比しながらダイエットの成果を容易に確認することができる。
【発明の効果】
【００１６】
本発明によれば、体組成測定を行う者の外観を容易に記録することができる。
【発明を実施するための最良の形態】
【００１７】
以下に図面を参照して、この発明の好適な実施の形態を例示的に詳しく説明する。
【００１８】
＜体組成計の構成＞
図１は、本発明の実施形態に係る体組成計の外観を示している。本実施形態では、体重計と一体に構成された体重体組成計を例示する。
【００１９】
この体組成計は、概略、本体１と保持部（表示操作部）２とから構成される。本体１と保持部２は、ケーブル３で接続されており、信号の送受信が可能である。なお、本体１と保持部２とを無線通信により接続する構成でも構わない。非使用時は、本体１の保持部収納部１３に、保持部２及びケーブル３が収納される。
【００２０】
本体１の上面には、４つの足用電極１０Ｌ、１０Ｒ、１１Ｌ、１１Ｒが設けられている。電極１０Ｌ、１０Ｒは、左右の足裏に電流を印加するための電極であり、電極１１Ｌ、１１Ｒは、左右の足裏から電圧を検知するための電極である。また本体１は体重測定部１２を内蔵している。
【００２１】
保持部２には、左右のグリップ２０Ｌ、２０Ｒ、表示部２１、操作部２２、カメラ２３、などが設けられている。表示部２１は、測定結果やガイダンスを表示したり、カメラ２３から入力された画像を表示したりする部分であり、例えば液晶ディスプレイから構成される。操作部２２は、ユーザ選択スイッチ、表示切替スイッチなどから構成される。カメラ２３は、体組成計の使用者（体組成測定者）を撮影するために設けられており、例えばＣＣＤカメラから構成される。
【００２２】
グリップ２０Ｌ、２０Ｒにはそれぞれ、手のひらに電流を印加するための電極２４Ｌ、２４Ｒと、手のひらから電圧を検知するための電極２５Ｌ、２５Ｒとが設けられている。そして、グリップ２０Ｒには、カメラ２３のシャッターボタン２３Ｓが設けられている。
【００２３】
本実施形態の体組成計は、体組成測定姿勢として、「背筋及びひざを伸ばして立ち、ひじ及び手首を伸ばして腕を水平に上げ（腕と体が約９０°）、表示部２１が顔を向くように保持部２を持つ」姿勢を要求する。それゆえ、シャッターボタン２３Ｓは、体組成測定時に使用者の指先（右手人差し指の先）が置かれるべき位置である、右グリップ２０Ｒの基端部分に配置されている。また、カメラ２３は、体組成測定姿勢をとる使用者の顔を含む画像を撮影可能なように、表示部２１と同じ向きに配置されている。このようにシャッターボタン２３Ｓとカメラ２３を配置したことにより、体組成測定姿勢と撮影姿勢とが同じになり、操作性の向上を図ることができる。シャッターボタン２３Ｓに合わせて保持部２を持てば、自動的に体組成の測定に適した持ち方となることから、シャッターボタン２３Ｓが保持部２の持ち方のガイドとしての役割も果たすこととなり、測定ミスの低減を図る効果も生まれる。
【００２４】
図２は、体組成計の構成を示すブロック図である。図２に示すように、保持部２は、制御部２６、インピーダンス測定部２７、記憶部２８、電源２９などを内蔵している。制御部２６は、体組成計の各構成要素を制御したり、体組成の推定処理や画像処理などの演算を行う手段であり、例えばプログラムを実行するＣＰＵとメモリなどから構成される。インピーダンス測定部２７は、印加した電流と検知された電圧とに基づいて体内のインピーダンスを測定する手段である。制御部２６及びインピーダンス測定部２７の具体的な機能及び処理については、後述する。
【００２５】
記憶部２８は、不揮発性メモリなどの記憶媒体から構成される。記憶部２８には、体重及び体組成の測定結果（測定値）、カメラ２３で撮影された画像、測定及び撮影の日時、個人情報（年齢、身長、性別）などが、使用者別（登録番号別）に格納される。本実施形態の体組成計では複数（例えば４人）の使用者を登録可能であり、操作部２２のユーザ選択スイッチで登録番号を指定することにより使用者を選択することができる。
【００２６】
＜体組成計の動作＞
図３のフローチャートに沿って、体組成計の動作を説明する。なお、図３のフローチャートは、上記体組成計にて体重及び体組成の測定と外観の撮影を行う際の標準的な処理の流れを示すものである。
【００２７】
使用者が体組成計の電源をＯＮすると、制御部２６が体重計の校正処理を実行する（Ｓ１０）。校正完了後、ユーザ選択可能となる。使用者がユーザ選択スイッチで登録番号を指定すると、制御部２６は、指定された登録番号に関連付けられたデータを記憶部２８から読み込む（Ｓ１１）。
【００２８】
制御部２６は、図４に示すように、カメラ２３から入力される画像を表示部２１に表示する（Ｓ１２）。使用者は表示部２１の画像を見ながら、姿勢の修正や保持部２の位置・
向きの調整を行う。調整を容易にするために、表示部２１に位置合わせ用のガイドラインなどを表示するようにしてもよい。なお、カメラ２３で撮影する画像には、少なくとも使用者の顔が含まれていればよく、好ましくは、図４のように上半身が含まれているとよい。また、図５のように、ほぼ全身を撮影可能なようにしても構わない。
【００２９】
使用者が静止すると、体重測定部１２によって体重の測定が行われる（Ｓ１３）。この測定値は制御部２６に入力される。
【００３０】
体重測定が完了すると、制御部２６は、表示部２１に撮影可能マークを表示する（Ｓ１４）。なお、この表示は、撮影準備（体組成測定準備）が整ったことを使用者に通知できれば、どのような態様でも構わない。例えば、ランプの点滅や、メッセージの表示などでもよい。
【００３１】
使用者がシャッターボタン２３Ｓを押すと、カメラ２３によって記録用の画像が撮影されるとともに（Ｓ１５）、インピーダンス測定部２７によってインピーダンスの測定が行われる（Ｓ１６）。なお、撮影より先にインピーダンス測定を行ってもよいし、両方の処理を同時に行ってもよい。つまり、両方の処理が実質的に同じ時刻に行われればよい。
【００３２】
制御部２６は、インピーダンス測定部２７から測定結果を受け取ると、このインピーダンスとＳ１３で測定した体重と記憶部２８から読み込んだ使用者の身長、年齢、性別などのデータに基づいて、体組成を推定する（Ｓ１７）。体組成の推定は公知の手法を用いればよい。体組成としては、例えば、体脂肪率、体脂肪量、筋肉率、筋肉量などを算出可能である。またこれらの算出結果に基づいて、さらに、基礎代謝量、肥満度、体年齢などの健康管理やダイエットに有益な指針情報を生成してもよい。
【００３３】
次に、制御部２６は、体重及び体組成の測定結果、並びに、記録用画像を、測定及び撮影を行った日時とともに記憶部２８に格納するとともに（Ｓ１８）、これらの情報を表示部２１に表示する（Ｓ１９）。この表示を見ることにより、使用者は、外観と体組成測定結果とを対比しながらダイエットの成果を確認することができる。
【００３４】
このとき、制御部２６が、記憶部２８から過去に撮影された画像（過去画像）を読み込み、過去画像と今回撮影された現在画像とを比較可能な態様で表示するとよい。例えば、両画像を重ね合わせて表示したり、並べて表示したり、切り替えて表示したりする態様が考えられる。過去画像と現在画像との比較及び区別を容易にするために、画像に撮影日時を表示したり、過去画像をグレー表示や半透明表示したり、過去画像中の人物の輪郭を抽出又は強調した比較用データを生成したりすることも好ましい。このように過去の外観と現在の外観とを比較することができれば、ダイエットの成果の確認が容易になる。
【００３５】
以上述べた構成によれば、使用者は、体組成を測定するために保持部を持った状態のまま、カメラのシャッターボタンを操作できる。よって、使用者は、自分自身で、体組成の測定とカメラによる撮影・記録とを同時に且つ容易に行うことができるようになる。また、体組成測定時に併せて撮影を行うだけで、常にほぼ同じ姿勢・同じアングルでの外観の撮影・記録（定点観測）が容易となる。そして記憶部に記憶された画像を閲覧することで、使用者は外観の変化を確認でき、体形の管理に役立てたり、ダイエット継続のモチベーションを向上させたりすることができる。
【００３６】
なお、上記実施形態は本発明の一具体例を例示したものにすぎない。本発明の範囲は上記実施形態に限られるものではなく、その技術思想の範囲内で種々の変形が可能である。以下、好ましい変形例を述べる。
【００３７】
（変形例１）
図６は、カメラ付き携帯電話に体組成計の機能を実装した例である。図６において、図１の体組成計に対応する部分には同一の符号を用いている。
【００３８】
この携帯電話は、本体側面に４つの電極２４Ｌ、２４Ｒ、２５Ｌ、２５Ｒを有している。このうち電極２４Ｒは、カメラ２３のシャッターボタン２３Ｓを兼ねている。
【００３９】
体組成を測定する際には、図６に示すように、電極２４Ｌ、２５Ｌを左手の人差し指と親指で持ち、電極２４Ｒ、２５Ｒを右手の人差し指と親指で持つ。カメラ２３で入力された画像は表示部２１に表示される。正しい撮影姿勢となったところで、電極２４Ｒを押し込むと、記録用画像の撮影と体組成の測定とが行われる。なお、この体組成計では体重を測定できないため、体重も身長や年齢などとともに予め登録しておく。
【００４０】
このような構成によっても、上記実施形態と同様の作用効果を奏することができる。しかも電極がシャッターボタンを兼ねているため、体組成測定のための動作（電極に手もしくは指を密着させること）とカメラ撮影のための動作（シャッターボタンを押すこと）とが同じになるため、操作性がより向上する。
【００４１】
なお、１つの電極だけをシャッターボタンにするのでなく、複数の電極が同時に押されたときにシャッターボタンとして機能するようにしてもよい。また、図１のタイプの体組成計において、電極にシャッターボタンの機能を持たせることも好ましい。また、カメラ付き携帯電話以外にも、カメラと表示部を有する機器であれば、同様にして体組成計の機能を実装することが可能である。
【００４２】
（変形例２）
本例では、制御部２６が、撮影画像に基づいて使用者の姿勢の良否を判定する。姿勢の判定は、例えば、（１）撮影画像から顔が検出され、且つ、その顔の位置及び大きさが所定の条件を満たすときに体組成測定姿勢をとっているとみなす、（２）撮影画像と過去画像の類似度が所定値以上のときに体組成測定姿勢をとっているとみなす、など、どのような手法を用いてもよい。撮影画像と過去画像を比較するときは、人物の輪郭などの特徴量に注目してもよい。
【００４３】
図３のＳ１２の後などに上記姿勢判定処理を実行し、姿勢が良好と判定された場合にＳ１３の体重測定処理に移行し、姿勢が不良と判定された場合に「測定姿勢をとってください。」というような警告を出力すれば、測定ミスの低減を図ることができる。
【００４４】
（変形例３）
本例では、制御部２６が、撮影画像に基づいて使用者の個人特定を行う。個人の特定は、公知の顔認識（顔認証）手法を利用すればよい。具体的には、顔の特徴量を、身長や年齢などとともに予め記憶部２８に登録しておく。そして、制御部２６が、撮影画像に含まれる顔から特徴量を抽出し、抽出された値を各登録使用者の特徴量の値と比較することで、当該使用者が登録使用者か否か、さらに、どの登録使用者であるか、を判断する。
【００４５】
例えば、図３のＳ１２の後などに上記個人特定処理を実行し、ユーザ選択スイッチで選択された使用者（使用者が手動で選択した使用者）と、撮影画像から特定された使用者とが同一人であるかを判定し、同一人のときのみＳ１３の体重測定処理に移行するようにしてもよい。
【００４６】
あるいは、図３のＳ１１において、ユーザ選択スイッチによる指定の代わりに、制御部２６が個人特定処理を実行し、その個人特定処理の結果に基づき記憶部２８から読み込む
登録情報を自動で選択するようにしてもよい。
【００４７】
かかる処理により、他人の登録情報を誤って選択するなどの操作ミスを無くすことができる。
【図面の簡単な説明】
【００４８】
【図１】体組成計の外観を示す図である。
【図２】図１の体組成計の構成を示すブロック図である。
【図３】体組成計の処理の流れを示すフローチャートである。
【図４】撮影された画像の表示例を示す図である。
【図５】撮影された画像の他の表示例を示す図である。
【図６】カメラ付き携帯電話に体組成計の機能を実装した例を示す図である。
【符号の説明】
【００４９】
１  本体
２  保持部
３  ケーブル
１０Ｌ、１０Ｒ、１１Ｌ、１１Ｒ  足用電極
１２  体重測定部
１３  保持部収納部
２０Ｌ、２０Ｒ  グリップ
２１  表示部
２２  操作部
２３  カメラ
２３Ｓ  シャッターボタン
２４Ｌ、２４Ｒ、２５Ｌ、２５Ｒ  手用電極
２６  制御部
２７  インピーダンス測定部
２８  記憶部
２９  電源
【図１】
2007195744.tif 000003
【図２】
2007195744.tif 000004
【図３】
2007195744.tif 000005
【図４】
2007195744.tif 000006
【図５】
2007195744.tif 000007
【図６】
2007195744.tif 000008